(57)【要約】      （修正有）【課題】バックルとは別個独立の補助的部材により、運転手や同乗者（乗員）に対して、タングプレート用挿入口の位置を容易に判るようにすること。【解決手段】自動車のシートベルト装置を構成するバックル３の少なくとも先端部側に外嵌合すると共に、合成樹脂材で成形されたキャップ型目印カバーＹであり、この目印カバーは、前記バックルのカバーの外壁面を包む周壁部分２２と、この周壁部分の上端部に連続的に連設するベース層としての環状上壁部分２３とを含む嵌合体２１と、上壁部分の上端開口２４を取り囲むように該上壁部分の一側面に一体成形され、かつ、外光エネルギを蓄えて発光する蓄光層を含んだ樹脂層とから成ることを特徴とするシートベルト装置のバックル用目印カバー。【選択図】図２
0003130222.tif 000002
【実用新案登録請求の範囲】
【請求項１】
自動車のシートベルト装置を構成するバックルの少なくとも先端部側に外嵌合すると共に、合成樹脂材で成形された両端開口のキャップ型目印カバーであり、この目印カバーは、前記バックルのカバーの外壁面を包む周壁部分と、この周壁部分の上端部に連続的に連設する環状上壁部分とを含む嵌合体と、前記上壁部分の上端開口を取り囲むように該上壁部分の一側面に一体成形され、かつ、外光エネルギを蓄えて発光する蓄光層を含んだ樹脂層とから成ることを特徴とするシートベルト装置のバックル用目印カバー。
【請求項２】
請求項１の合成樹脂材は、透明であり、また、樹脂層は内壁面に設けられていることを特徴とするシートベルト装置のバックル用目印カバー。
【請求項３】
請求項２の樹脂層は、環状上壁部分の下面に設けられた蓄光層と、この蓄光材層の下面に設けられた白色反射層を含むことを特徴とするシートベルト装置のバックル用目印カバー。
【請求項４】
請求項１の嵌合体は、嵌合装着時、材質自体の弾性力に抗して外拡変位可能であることを特徴とするシートベルト装置のバックル用目印カバー。
【請求項５】
請求項１のバックルが、タングプレート用開口内部に解除ボタンを有する場合、環状上壁部分は、開口の一つの縁部に一体成形された目印機能のヒンジ型舌片を有しており、この舌片は前記解除ボタンの外面をカバーするようにタングプレート用挿入口まで臨んでいることを特徴とするシートベルト装置のバックル用目印カバー。
【請求項６】
自動車のシートベルト装置を構成するバックルの少なくとも先端部側に外嵌合すると共に、弾性体で両端開口のキャップ型に形成された目印カバーであり、この目印カバーは、前記バックルのカバーの外壁面を包む周壁部分と、この周壁部分の上端部に連続的に連設する環状上壁部分とを含む嵌合体と、前記上壁部分のタングプレート用開口を取り囲むように該上壁部分の上面に設けられ、かつ、外光エネルギを蓄えて発光する蓄光層を含んだ樹脂層とから成ることを特徴とするシートベルト装置のバックル用目印カバー。
【請求項７】
請求項６の樹脂層は、環状上壁部分の上面に設けられた白色反射層と、この白色反射層の上面に設けられた蓄光層を含むことを特徴とするシートベルト装置のバックル用目印カバー。
【請求項８】
請求項６のバックルが、タングプレート用開口内部に解除ボタンを有する場合、環状上壁部分は、開口の一つの縁部に一体成形された目印機能の連続舌片を有しており、この連続舌片は前記解除ボタンの外面をカバーするようにタングプレート用挿入口まで臨んでいることを特徴とするシートベルト装置のバックル用目印カバー。
【考案の詳細な説明】
【技術分野】
【０００１】
本考案は、シートベルト装置のバックル用目印に関するものである。
【背景技術】
【０００２】
まず、特許文献１には、シートベルト装置のバックルの一例が記載されている（便宜上、該公報の符号をそのまま記載する）。
【０００３】
すなわち、特許文献１には、「シートベルト１に取り付けたタングプレート２を差し込んでロックさせるシートベルト装置のバックル３において、当該バックル３の構成部品のうち、外部から視認可能な位置にある樹脂成形部品の少なくとも１つ、例えば、外装体としてのバックルカバー１１、リリースボタン１３、あるいはタングプレート２の挿入口１６の奥部にあるスライダの少なくとも１つを、外光エネルギを蓄えて発光する蓄光材を含んだ樹脂成形品で構成」し、バックルの一部が暗いところで発光するようにしている。
この特許文献１の発明は、バックル３の一部について、蓄光材を含んだ樹脂成形品で成形していることから、発光性シールをバックルの開口の回りに貼る場合の実施例と比べても、剥がれる心配が全くない（段落００２５）。
【０００４】
したがって、長期間にわたり高い信頼性を維持することができるという利点がある。しかしながら、特許文献１の実施例の場合、バックルカバーの先端部側のみを透明に成形することも考え得るが、そのようなバックルはコスト高となる。さらに、バックルのカバーの開口の回り部分を目印として局部的に画定することも容易ではない。また、普通一般にバックルは、タングプレート用ロック機構を内装していることから、外観上、その内部構造が見えないようにバックルのカバーを非透明な材料で成形している。そのために、特許文献１の実施例では、蓄光材の反射機能を十分に生かすことができないという問題点がある。
【０００５】
次に、特許文献２には、バックルカバーの上壁の一部にロック孔（タングプレート２の挿入口）用の照明部を設ける事項が記載されている。しかしながら、特許文献に記載の実施例は、ＬＥＤ等の光源をバックルに取り付ける必要がある、配線や回路を新たに設けたりする必要がある等の理由から、低コストで実施化できないと言う問題点があると共に、故障した場合には修理が必要である。
【０００６】
なお、特許文献３には、蓄光反射材及びその製造方法に関する事項が記載され、該蓄光反射材は、交通標識、ウインドブレーカ、安全ベルト等の衣服類に使用することができる旨が記載されている（段落００５１）。しかしながら、特許文献３には、シートベルト装置のバックル用目印カバーとして、具体的にどのような構成で使用するかについての言及がない。
【特許文献１】特開２００３−３３５２１９号公報
【特許文献２】特開２０００−１５９０６０号公報
【特許文献３】特許第３５２３９４６号公報
【考案の開示】
【考案が解決しようとする課題】
【０００７】
考案が解決しようとする課題は、まず、バックルとは別個独立の補助的部材により、運転手や同乗者（乗員）に対して、タングプレート用挿入口の位置を容易に判るようにすることである。次に、実施例によっては、タングプレートの挿入口（差込み口）をより明確に画定し、挿入口の位置の視認性を向上させることである。次に、剥がれる心配が全くなく、耐久性に優れていることである。次に、嵌合装着した時、バックルの少なくとも先端部側にぴったりと外嵌合すると共に、バックルから容易に外れないことである。そして、製作コストの安価性を図ることである
【課題を解決するための手段】
【０００８】
本考案のシートベルト装置のバックル用目印カバーは、自動車のシートベルト装置を構成するバックルの少なくとも先端部側に外嵌合すると共に、透明の合成樹脂材で成形された両端開口のキャップ型目印カバーであり、この目印カバーは、前記バックルのカバーの外壁面を包む周壁部分と、この周壁部分の上端部に連続的に連設するベース層としての環状上壁部分とを含む嵌合体と、前記上壁部分のタングプレート用開口を取り囲むように該上壁部分の一側面に一体成形され、かつ、外光エネルギを蓄えて発光する蓄光層を含んだ樹脂層とから成ることを特徴とする。
【０００９】
また、本考案のシートベルト装置のバックル用目印カバーは、自動車のシートベルト装置を構成するバックルの少なくとも先端部側に外嵌合すると共に、弾性体で両端開口のキャップ型に形成された目印カバーであり、この目印カバーは、前記バックルのカバーの外壁面を包む周壁部分と、この周壁部分の上端部に連続的に連設する環状上壁部分とを含む嵌合体と、前記上壁部分のタングプレート用開口を取り囲むように該上壁部分の上面に設けられ、かつ、外光エネルギを蓄えて発光する蓄光層を含んだ樹脂層とから成ることを特徴とする。
【実施例】
【００１０】
この欄では、２つの実施例を説明する。これらの実施例は、現在、実施化されているシートベルト装置を前提としている。そこで、まず、図１乃至図４に示す第１実施例を説明する前に、説明の便宜上、シートベルト装置の一例を簡単に説明する。なお、図１は第１実施例の斜視図、図２はバックルの少なくとも先端部側に外嵌合した状態の斜視図、図３は使用状態における概略断面の説明図、図４は樹脂層の概念図である。
【００１１】
（１）シートベルト装置
図３を参照にして、シートベルト装置Ｘの一例を説明する。シートベルト装置Ｘは、周知のようにシートベルト１を有している。したがって、２はシートベルト１に取り付けられたタングプレート、３は仮想線で示すシート４の脇等に固定的に設けられたバックルである。例えば運転手がシートベルト１を装着する場合は、タングプレート２をバックル３の挿入口５に差し込んでロックさせる。
【００１２】
バックル３は、バックル３の外装体（カバー）６と、その内部に設けられたベース部材７と、外装体６の前端に外面（押圧面）を外装体の開口に露出させて配置された解除ボタン（リリースボタン）８と、ベース部材７にスライド自在に設けられたスライダ１０と、スライダの後方への移動によりロック位置へ揺動するラッチ部材１１と、図示しない解除ボタン復帰用スプリング等の部材で構成されている。
【００１３】
なお、タングプレート２の不番の開口の一部を構成する挿入口５は、解除ボタン８側の斜面と外装体６の前端側の斜面との間に確保されている。タングプレート２が挿入口５から差し込まれると、スライダ１０がタングプレート２に押されて後方に移動し、それにより、ラッチ部材１１がロック位置へ揺動して、タングプレート２の係止孔２ａに係合し、タングプレート２を抜けないようにロックする。
【００１４】
（２）目印カバーＹの嵌合体２１
目印カバーＹは、図１で示すように、透明の合成樹脂材で両端開口の角筒型或いは両端開口のキャップ型に成形されている。また、合成樹脂材は、望ましくは強靭な材質のものが適宜に採用されている。さらに、その大きさ（内径寸法）は、普通一般に通常使用されているバックルの外装体６に外嵌合状態でフイットするように設定されている（図３参照）。
【００１５】
まず、図１を参照にして目印カバーＹの構成部材を説明する。この目印カバーは、少なくとも前項のバックル３のカバー６の周方向の外壁面６ａを包む周壁部分２２と、この周壁部分２２の上端部に連続的に連設するとして環状上壁部分（ベース板に相当する部分）２３とを含む嵌合体２１と、前記環状上壁部分２３のタングプレート用開口２４を取り囲むように該環状上壁部分２３の一側面に一体成形され、かつ、外光エネルギを蓄えて発光する蓄光層を含んだ樹脂層３１とから成る。
【００１６】
しかして、前記周壁部分２２は、合計４本のスリット２５を介して対向する左右の側壁と、同じく対向する前後の側壁に区分けされている。前記スリット２５は、図１及び図２で示すように、下端開口２６の角の端縁から所要量（例えば中間部位まで）直線状に形成されている。
【００１７】
ここで嵌合体２１の材質について付言すると、嵌合体２１は、その材質自体により弾性変形機能及び弾性変形復帰機能を有する板状部材を図示しない金型、切断機等を利用して成形される。嵌合体２１の製造方法は、考案の対象でないことから、ここではその具体的な製造方法を開示しない。
【００１８】
ところで、嵌合体２１はその材質自体により剛性的機能も発揮する（形態保持機能）。したがって、嵌合体２１の周壁部分２２は、嵌合装着時、前述した４本のスリット２５を介して、材質自体の弾性力に抗して外拡変位可能である。なお、本実施例の嵌合体２１は、バックル３の先端部側に外嵌合するが、これに限定するものではなく、バックル３の外装体６の略全体を包むように構成しても良い。
【００１９】
次に、本実施例では、望ましくは矩形環状の上壁部分２３の上端開口２４の一つの縁部に所定長さのヒンジ型舌片２７が一体に成形されている。すなわち、上端開口２４の一つの縁部には、前項で説明した解除ボタン８の外面８ａをカバーするようにタングプレート用開口２４の挿入口（差込み口）２４ａまで臨むと共に、上端開口２４の内外に位置変位可能な押圧突片２７が可撓性接続部分２８を介して連設されている。
【００２０】
しかして、ヒンジ型舌片（押圧突片）２７の不番の左右側端部と、これに対向する環状上壁部分２３の左右側端部の間には所要間隙２４ｂ、２４ｂがそれぞれ設けられていることから、ここでの上端開口２４は、タングプレート用挿入口２４ａと、これに連通するヒンジ型舌片２７の所要間隙２４ｂ、２４ｂとから成る。
【００２１】
ところで、ヒンジ型舌片２７の可撓性接続部分２８は、実施例では、挿入口２４ａの向こう側に位置する上壁部分２３と舌片２７の接続基部との間の断面の小さい部分（上面にＶ形状溝が形成された部分）である。
【００２２】
したがって、ヒンジ型舌片２７の外面を指でプッシュすると、可撓性接続部分２８は屈撓可能である。それ故に、解除ボタン８は、ヒンジ型舌片２７を介して押し込まれる。
【００２３】
ここで、矩形環状の上壁部分２３の一つの縁部にヒンジ型舌片２７を設け、上端開口２４の幅を狭くした目的は、挿入口２４ａをより明確に画定するためである。したがって、本実施例では、図１の点、点、点の模様で示すように、このヒンジ型舌片２７の少なくとも先端部（本実施例では全体）の一側面（本実施例では裏面）にも、蓄光層を含んだ樹脂層３１が一体成形されている。
【００２４】
なお、ヒンジ型舌片２７の可撓性接続部分２８は、一例であり、接続部分２８は、所要量屈撓可能な連結構造（例えば断面Ｔ字形状や断面Ｌ形状の連結構成、オス・メスによる圧入係合構成など）であっても良い。要は、一体型ヒンジ構造であれば良い。
【００２５】
（３）目印カバーＹの樹脂層３１
目印カバーＹの樹脂層３１は、嵌合体２１の上壁部分２３の一側面に一体成形され、かつ、外光エネルギを蓄えて発光する蓄光層を含んである。本実施例では、樹脂層３１にキズが付かないように、該樹脂層３１は上壁部分２３の内壁面に設けられている。樹脂層３１の製造方法については割愛するが、例えば特許文献３の特許第３５２３９４６号公報に色々と開示されている。
【００２６】
本実施例の樹脂層３１は、図４で示すように、少なくともベース層としての上壁部分２３の下面２３ａに設けられた蓄光層（点、点、点の模様）３２と、この蓄光材層３２の下面に設けられた白色反射層（ハッチングで示した部分）３３を含む。
【００２７】
目印カバーＹを成形する際、上壁部分２３の下面２３ａは、いわゆる下地となり、この下地上に顔料を有する色彩層、蓄光材を有する蓄光層、反射シートとしての白色反射層（再起反射を行う微粒子状物質）等を、例えばウエルダー加工等の方法により一体的に積層する。
【００２８】
なお、第１実施例では、望ましくは矩形環状の上壁部分２３の一つの縁部にヒンジ型舌片２７を設けるが、このヒンジ型舌片２７は、考案の限定要件ではなく、バックルとは別個独立の補助的部材により、乗員に対して、タングプレート用挿入口の位置を容易に判るようにするという考案の所期の目的との関係では、従属的要件である。一方、挿入口（差込み口）２４ａをより明確に画定すると言う考案の目的との関係では、考案の特定要件である。
【００２９】
次に、図５及び図６に示す第２実施例を説明する。説明の便宜上、第１実施例と同一の部分には同一又は同様の符号を付して重複する説明を割愛する。
【００３０】
この第２実施例が第１実施例と主に異なる事項は、（ａ）目印カバーＹ１の嵌合体２１Ａは、弾性体の一例としてのゴムで形成されている点、（ｂ）嵌合体２１Ａの周壁部分２２には、必ずしもスリット２５が形成されていない点、（ｃ）環状上壁部分２３の一つに連続する目印の舌片２７Ａは、明確な可撓性接続部分２８を有しておらず、上壁部分２３に連続する部分が、その材質自体により変位可能である点、（ｄ）樹脂層３１Ａは、図６で示すように、ベース層としての上壁部分２３の上面２３ｂに設けられた白色反射層３３と、この白色反射層３３の上面に設けられた蓄光層３２を含む点である。
【００３１】
なお、第１実施例の嵌合体２１Ａの材質が非透明の場合には、前述した樹脂層３１は、第２実施例と同様に環状上壁部分２３及びヒンジ型舌片２７の上面に一体成形しても良い。
【図面の簡単な説明】
【００３２】
図１乃至図４は本考案の第１実施例を示す各説明図。図５及び図６は本考案の第２実施例を示す各説明図。
【図１】本考案の第１実施例を示す斜視図。
【図２】嵌合状態の斜視図。
【図３】使用状態の一例を示す概略断面の説明図。
【図４】嵌合体２１に一体成形された樹脂層の概念図。
【図５】本考案の第２実施例を示す斜視図。
【図６】嵌合体２１Ａに一体成形された樹脂層の概念図。
【符号の説明】
【００３３】
Ｘ…シートベルト装置、２…タングプレート、３…バックル、４…シート、５…挿入口、６…バックルの外装体、８…解除ボタン（リリースボタン）、Ｙ、Ｙ１…目印カバー、２１、２１Ａ…嵌合体、２２…周壁部分、２３…上壁部分、２３ａ…下面、２３ｂ…上面、２４…上端開口、２４ａ…挿入口（差込み口）、２４ｂ…所要間隙、２５…スリット、２６…下端開口、２７、２７Ａ…舌片（押圧突片）、２８…可撓性接続部分、３１、３１Ａ…樹脂層、３２…蓄光層、３３…白色反射層。
【図１】
0003130222.tif 000003
【図２】
0003130222.tif 000004
【図３】
0003130222.tif 000005
【図４】
0003130222.tif 000006
【図５】
0003130222.tif 000007
【図６】
0003130222.tif 000008
【手続補正書】
【提出日】平成18年12月21日(2006.12.21)
【手続補正１】
【補正対象書類名】実用新案登録請求の範囲
【補正対象項目名】全文
【補正方法】変更
【補正の内容】
【実用新案登録請求の範囲】
【請求項１】
自動車のシートベルト装置を構成するバックルの少なくとも先端部側に外嵌合すると共に、合成樹脂材で成形された両端開口のキャップ型目印カバーであり、この目印カバーは、前記バックルのカバーの外壁面を包む周壁部分と、この周壁部分の上端部に連続的に連設する環状上壁部分とを含む嵌合体と、前記上壁部分の上端開口を取り囲むように該上壁部分の一側面に一体成形され、かつ、外光エネルギを蓄えて発光する蓄光層を含んだ樹脂層とから成ることを特徴とするシートベルト装置のバックル用目印カバー。
【請求項２】
請求項１に於いて、合成樹脂材は、透明であり、また、樹脂層は内壁面に設けられていることを特徴とするシートベルト装置のバックル用目印カバー。
【請求項３】
請求項２に於いて、樹脂層は、環状上壁部分の下面に設けられた蓄光層と、この蓄光材層の下面に設けられた白色反射層を含むことを特徴とするシートベルト装置のバックル用目印カバー。
【請求項４】
請求項１に於いて、嵌合体は、嵌合装着時、材質自体の弾性力に抗して外拡変位可能であることを特徴とするシートベルト装置のバックル用目印カバー。
【請求項５】
請求項１に於いて、バックルが、タングプレート用開口内部に解除ボタンを有する場合、環状上壁部分は、開口の一つの縁部に一体成形された目印機能のヒンジ型舌片を有しており、この舌片は前記解除ボタンの外面をカバーするようにタングプレート用挿入口まで臨んでいることを特徴とするシートベルト装置のバックル用目印カバー。
【請求項６】
自動車のシートベルト装置を構成するバックルの少なくとも先端部側に外嵌合すると共に、弾性体で両端開口のキャップ型に形成された目印カバーであり、この目印カバーは、前記バックルのカバーの外壁面を包む周壁部分と、この周壁部分の上端部に連続的に連設する環状上壁部分とを含む嵌合体と、前記上壁部分のタングプレート用開口を取り囲むように該上壁部分の上面に設けられ、かつ、外光エネルギを蓄えて発光する蓄光層を含んだ樹脂層とから成ることを特徴とするシートベルト装置のバックル用目印カバー。
【請求項７】
請求項６に於いて、樹脂層は、環状上壁部分の上面に設けられた白色反射層と、この白色反射層の上面に設けられた蓄光層を含むことを特徴とするシートベルト装置のバックル用目印カバー。
【請求項８】
請求項６に於いて、バックルが、タングプレート用開口内部に解除ボタンを有する場合、環状上壁部分は、開口の一つの縁部に一体成形された目印機能の連続舌片を有しており、この連続舌片は前記解除ボタンの外面をカバーするようにタングプレート用挿入口まで臨んでいることを特徴とするシートベルト装置のバックル用目印カバー。